(57)【要約】【課題】切断治具上にワックス等のバインダにより仮接着された光学部品連結体をカッタによって個片に分割してから、バインダを溶解させて各光学部品を剥離させた直後に、次の洗浄工程において使用する光学部品保持治具上に光学部品を落下させて着座させることを可能とした光学部品の分割後剥離方法を提供する。【解決手段】複数の光学部品個片２を連結した光学部品連結体１を切断治具１０に対してバインダ１５を用いて接着し仮接着する仮接着工程と、該切断治具上に仮接着された光学部品連結体をカッタ２０を用いて光学部品個片に切断する分割工程と、切断後も前記切断治具上にバインダによって固定された状態にある各光学部品個片を、バインダ溶解液３１中に浸漬して超音波を印加してバインダを溶解させることにより、切断治具上から剥離させる剥離工程と、を備えた。【選択図】図１
2007219202.tif 000002
【特許請求の範囲】
【請求項１】
複数の光学部品個片を連結した光学部品連結体を切断治具に対してバインダを用いて仮接着する仮接着工程と、
前記切断治具上に仮接着された前記光学部品連結体をカッタを用いて光学部品個片に切断する分割工程と、
切断後も前記切断治具上にバインダによって仮接着された状態にある各光学部品個片を、バインダ溶解液中に浸漬して超音波を印加して前記バインダを溶解させることにより、前記切断治具上から剥離させる剥離工程と、を備えたことを特徴とする光学部品の分割後剥離方法。
【請求項２】
前記剥離工程においては、前記切断治具の光学部品支持面を下向きにすると共に、各光学部品に対応した個片収納部を有した洗浄用光学部品保持治具を該切断治具の下方に配置し、前記切断治具から剥離、落下した各光学部品が各個片収納部内に着座するようにしたことを特徴とする請求項１に記載の光学部品の分割後剥離方法。
【請求項３】
前記光学部品は複合プリズムであり、前記光学部品連結体は複数個の前記複合プリズムの連結体であることを特徴とする請求項１又は２に記載の光学部品の分割後剥離方法。
【請求項４】
前記バインダはシフトワックスであり、前記溶解液はアルコール系溶剤、アルカリ系溶剤、芳香剤系溶剤、炭化水素系溶剤、ＩＰＭ、或いはＩＰＡのうちの何れかであることを特徴とする請求項１乃至３の何れか一項に記載の光学部品の分割後剥離方法。
【発明の詳細な説明】
【技術分野】
【０００１】
本発明は複数の光学部品が未分離状態にある光学部品連結体を切断治具上に仮接着した状態で個片に切断分割してから、仮接着用のバインダを溶解させて切断治具上から剥離させる際に発生していた不具合を解消することができる分割後剥離方法に関する。
【背景技術】
【０００２】
光学フィルタ、レンズ、ミラー等の光学部品を量産する場合には、例えば長尺ガラス棒や、大面積ガラス板等の基材を複数個組み付け、研磨、洗浄、成膜、切断等の各種工程を経ることにより、ほぼ完成品としての光学部品を連結一体化した光学部品連結体を形成し、この光学部品連結体を切断治具上に仮接着した状態で個片に切断分割する手順が実施される（特許文献１、２）。仮接着においては熱によって溶解するワックス等のバインダが使用され、切断完了した光学部品個片は切断治具上にバインダによって仮接着された状態にあるため、次工程においてバインダによる接着力を解除して各光学部品を剥離する必要がある。
【０００３】
図２は光学部品としての複合プリズム１００を棒状に連結した光学部品連結体１０１を切断治具１０５上に仮接着した状態と、切断治具上に仮接着された光学部品連結体をダイヤモンドカッター１１０によって個片に分割する従来の分割後切断方法を示す図である。
切断治具１０５上には四角柱状の光学部品連結体１０１の一部を嵌合するためのＶ溝状の嵌合溝１０６が複数個平行に設けられており、更に、切断治具上面には嵌合溝１０６の深さを超える深さを有した切断溝１０７が複数の嵌合溝１０６と直交する方向に伸びている。各切断溝１０７内には光学部品連結体１０１が溝内壁に密着した状態で加熱溶融性ワックス等のバインダ１１５によって接着保持（仮接着）されている。円盤状のダイヤモンドカッター１１０はその外周縁にブレードを有しており、複数のダイヤモンドカッター１１０を回転させながら各切断溝１０７内を通過する過程で嵌合溝１０６内の光学部品連結体１０１を各個片の境界線に沿って切断分割する。
このように切断分割した状態では、光学部品個片はバインダ１１５によって依然として切断治具１０５の嵌合溝１０６内に仮接着されているため、個片を切断治具上から剥離するために従来は切断治具をホットプレート上に載置して加熱することによってバインダ１１５を溶解、軟化させ、ピンセットで掴んで剥がしていた。
【０００４】
しかしこのような従来の剥離方法では、ホットプレートを用いてバインダを高温にしていたので、切粉や切削液が光学部品に焼き付いて落ちにくくなったり、複数個一緒にピンセットで掴んで剥離する際に切断面にワックスが付着するという問題があった。更に、ピンセットを用いて切断治具から取り出した個々の光学部品を次の洗浄工程に移送するために、洗浄用の光学部品保持治具上に整列配置する作業が必要とされるため、工程数が更に増大するという問題があった。
特許文献１、２には、複合プリズムの製造方法について開示されてはいるが、上記の如き不具合を伴うことなくバインダから分割後の光学部品を剥離させる方法については一切開示されていない。
【０００５】
【特許文献１】特開平５−６６３０３号公報
【特許文献２】特開平５−８８０１９号公報
【発明の開示】
【発明が解決しようとする課題】
【０００６】
以上のように従来の光学部品連結体の分割後の剥離方法にあっては、分割された光学部品を仮接着状態で保持した切断治具をホットプレート上で加熱することによってバインダを溶解、軟化させてからピンセット等により取り出していたため、切粉や切削液の光学部品への焼き付き、切断面へのワックスの付着という不具合の他に、ピンセットを用いた光学部品の移載作業が生産性を低下させる、という不具合があった。
本発明は上記に鑑みてなされたものであり、切断治具上にワックス等のバインダにより仮接着された光学部品連結体をカッタによって個片に分割してから、バインダを溶解させて各光学部品を剥離させた直後に、次の洗浄工程において使用する光学部品保持治具上に光学部品を落下させて着座させることを可能とした光学部品の分割後剥離方法を提供することを目的としている。
【課題を解決するための手段】
【０００７】
上記目的を達成するため、本発明の光学部品の分割後剥離方法は、複数の光学部品個片を連結した光学部品連結体を切断治具に対してバインダを用いて仮接着する仮接着工程と、該切断治具上に仮接着された光学部品連結体をカッタを用いて光学部品個片に切断する分割工程と、切断後も前記切断治具上にバインダによって固定された状態にある各光学部品個片を、バインダ溶解液中に浸漬して超音波を印加して前記バインダを溶解させることにより、前記切断治具上から剥離させる剥離工程と、を備えたことを特徴とする。
個片に切断された状態で切断治具上に仮接着されている光学部品を剥離するために溶解液中に浸漬して超音波を印加するようにしたので、従来のようにホットプレートによって加熱する場合に発生していた種々の不具合を解消できる。
【０００８】
また、本発明の光学部品の分割後剥離方法は、前記剥離工程においては、前記切断治具の光学部品支持面を下向きにすると共に、各光学部品に対応した個片収納部を有した洗浄用光学部品保持治具を該切断治具の直下位置に配置し、前記溶解液によって切断治具から剥離、落下した各光学部品が各個片収納部内に着座するようにしたことを特徴とする。
溶解液中において仮接着された光学部品が下側を向くように切断治具を下向きに水平配置すると共に、各光学部品を収容する個片収納部を上面に備えた保持治具を切断治具の直下に配置した状態で溶解液によりバインダを溶解するようにしたので、バインダから剥離して落下した光学部品をそのままの姿勢で個片収納部内に着座させることができる。この保持治具はそのまま溶解液から取り出して次段の洗浄工程に供することができる。
【０００９】
本発明の光学部品の分割後剥離方法は、前記光学部品は複合プリズムであり、前記光学部品連結体は複数個の前記複合プリズムの連結体であることを特徴とする。
本発明の適用対象となる光学部品としてはどのような形状、サイズを有したものであってもよいが、複数の光学部品個片を連結した光学部品連結体をバインダにより切断治具上に仮接着した状態で切断してから、洗浄用の保持治具上に移載する処理を必要とする光学部品に広く適用することができる。
【００１０】
本発明の光学部品の分割後剥離方法は、前記バインダはシフトワックスであり、前記溶解液はアルコール系溶剤、アルカリ系溶剤、芳香剤系溶剤、炭化水素系溶剤、ＩＰＭ、或いはＩＰＡのうちの何れかであることを特徴とする。
バインダとしてシフトワックスを使用する場合には、ここに例示した溶解液を使用するのが好ましい。
【発明を実施するための最良の形態】
【００１１】
以下、本発明を図面に示した実施の形態により詳細に説明する。
図１（ａ）（ｂ）及び（ｃ）は本発明の一実施形態に係る光学部品の分割後剥離方法による剥離手順を示す図である。
符号１は光学部品としての複合プリズム２を複数個棒状に連結した光学部品連結体であり、この光学部品連結体１は切断治具１０上に複数平行に設けた各嵌合溝１１内に嵌合して保持される（図１（ａ））。
即ち、切断治具１０上には四角柱状の光学部品連結体１の一部（２つの面）を嵌合するためのＶ溝状の嵌合溝１１が複数個平行に設けられており、更に、切断治具上面には嵌合溝１１の深さを超える深さを有した切断溝１２が複数の嵌合溝１１と直交する方向に伸びている。各切断溝１２内には光学部品連結体１が溝内壁に密着した状態で加熱溶融性ワックス等のバインダ１５によって接着保持（仮接着）されている。円盤状のダイヤモンドカッター２０はその外周縁にブレードを有しており、複数のダイヤモンドカッター２０を回転させながら各切断溝１１２内を通過することにより嵌合溝１１内の光学部品連結体１を各光学部品個片の境界線に沿って切断分割する（図１（ｂ））。
【００１２】
図１（ｃ）に示した溶解工程では、超音波溶解槽３０内に充填されたバインダ溶解液３１中に図１（ｂ）の状態にある切断治具１０上の光学部品２を浸漬し、超音波を印加することによりバインダ１５を溶解させる。具体的には、図１（ｃ）に示すように光学部品搭載面が下向きとなるように切断治具１０を液中に水平に支持すると共に、その下方（直下）に洗浄用光学部品保持治具４０を配置する。保持治具４０の上面には嵌合溝１１内の光学部品２と対応する位置関係にて保持溝（個片収納部）４１が形成されている。保持溝４１は嵌合溝１１とほぼ同様の形状で、同様のピッチにて配置されている。このため、溶解液３１に超音波が印加されると、バインダ１５の溶解が促進されて各光学部品２は嵌合溝１１内から下方へ落下し、各嵌合溝１１の直下位置にある各保持溝４１内に嵌合して着座する。光学部品を保持した保持治具４０は溶解層３０から取り出された後で、光学部品に付着したバインダ、研磨屑、指紋等々の汚れを洗浄するために図示しない洗浄液中に浸漬されて洗浄を受ける。
バインダ１５は例えばシフトワックスであり、溶解液３１としてはアルコール系溶剤、アルカリ系溶剤、芳香剤系溶剤、炭化水素系溶剤、ＩＰＭ、或いはＩＰＡ等、シフトワックスの溶解性に優れたものを使用する。
【００１３】
このように本発明の光学部品の分割後剥離方法にあっては、複数の光学部品個片を連結した光学部品連結体１を切断治具１０に対してバインダ１５を用いて仮接着する仮接着工程と、切断治具１０上に仮接着された光学部品連結体１をカッタ２０を用いて光学部品個片に切断する分割工程と、切断後も切断治具上にバインダ１５によって固定された状態にある各光学部品個片２を、バインダ溶解液３１中に浸漬して超音波を印加してバインダ１５を溶解させることにより、切断治具上から剥離させる剥離工程と、を備えている。
【００１４】
更に、剥離工程においては、切断治具の光学部品支持面を下向きにした水平姿勢にすると共に、各光学部品に対応した保持溝（個片収納部）４１を有した洗浄用光学部品保持治具４０を該切断治具の直下位置に配置し、溶解液３１によって切断治具から剥離されて落下した各光学部品２が各保持溝４１内に着座するようにしている。
このように本発明では、切断治具１０上にワックス等のバインダ１５により仮接着された光学部品連結体１をカッタ２０によって個片に分割してから、バインダを溶解させて各光学部品を剥離させた直後に、次の洗浄工程において使用する光学部品保持治具４０上に光学部品を落下させて着座させることができる。従って、従来のように切断治具をホットプレート上で加熱することによってバインダを溶解、軟化させてから、ピンセットにより個片を取出して洗浄用治具上に一個ずつ収納するという煩雑な作業が不要となり、生産性を向上することができる。また、ホットプレートにより加熱した場合に発生していた不具合である切粉や切削液の光学部品への焼き付き、切断面へのワックスの付着等という不具合がなくなる。
【００１５】
なお、上記実施形態では、光学部品として立方体状の複合プリズムを一例として説明したが、これは一例に過ぎず、本発明は形状、サイズを問わず、複数の光学部品個片を連結した光学部品連結体をバインダにより切断治具上に仮接着した状態で切断してから、洗浄用の保持治具４０上に移載する必要がある場合に広く適用することができる。
【図面の簡単な説明】
【００１６】
【図１】（ａ）（ｂ）及び（ｃ）は本発明の一実施形態に係る光学部品の分割後剥離方法による剥離手順を示す図である。
【図２】光学部品連結体を切断治具上に仮接着した状態と、切断治具上に仮接着された光学部品連結体をダイヤモンドカッターによって個片に分割する従来の分割後切断方法を示す図である。
【符号の説明】
【００１７】
１…光学部品連結体、２…光学部品、１０…切断治具、１２…切断溝、１５…バインダ、２０…ダイヤモンドカッター、３０…超音波溶解槽、３１…溶解液、４０…光学部品保持治具、４１…保持溝。
【図１】
2007219202.tif 000003
【図２】
2007219202.tif 000004